(57)【要約】【課題】余分な回路を付加することなく、隣接チャンネル妨害存在時の受信性能を上げることができる受信装置を提供することを目的とする。【解決手段】同調回路や検波回路なしで隣接チャンネルを検出し、隣接チャンネルが検出された場合には、隣接チャンネルが検出されない場合に比べて、混合器に入力される受信希望信号の信号レベルを小さくすることで、混合器に入力される隣接チャンネルの信号レベルも小さくし、混合器で発生する混変調妨害を抑圧する。【選択図】　図１
2004064382.tif 000002
【特許請求の範囲】
【請求項１】
ＲＦ入力から入力されたＲＦ信号を増幅する利得制御可能なＲＦ増幅器と、前記ＲＦ増幅器の出力を中間周波信号に周波数変換する混合器と、前記混合器の出力を増幅する利得制御可能な中間周波増幅器と、前記中間周波増幅器の出力の中で中間周波信号以外の信号を減衰するフィルタと、前記フィルタの出力をアナログデジタル変換するＡＤ変換器と、前記ＡＤ変換器の出力から信号レベルを検出するレベル検出器と、前記レベル検出器の出力に基づいて前記ＲＦ増幅器と前記中間周波増幅器の利得を制御する利得制御器と、前記ＡＤ変換器の出力を復調する復調器と、デジタル放送波受信時にのみ前記復調器の出力の同期信号を検出可能な同期検出器と、前記同期検出器により受信希望チャンネルがデジタル放送チャンネルであると確認された場合にのみ受信希望チャンネルを選局して前記レベル検出器で検出した信号レベルＬ１及び受信希望チャンネルの下側隣接チャンネルを選局して前記レベル検出器で検出した信号レベルＬ２及び受信希望チャンネルの上側隣接チャンネルを選局して前記レベル検出器で検出した信号レベルＬ３についてＬ１−（Ｌ２＋Ｌ３）を算出しこの値と閾値Ｘとの大きさを判別する隣接チャンネル判別器を備え、前記隣接チャンネル判別器の出力がＬ１−（Ｌ２＋Ｌ３）が閾値Ｘより小さいことを示す場合にはＬ１−（Ｌ２＋Ｌ３）が閾値Ｘ以上の場合に比べ前記ＲＦ増幅器の利得が最大利得から減衰し始めるＲＦ入力レベルを小さくする様に前記利得制御器から前記ＲＦ増幅器に対し出力される制御信号を変化させることを特徴とする受信装置。
【請求項２】
Ｘ１からＸｎまでの順次大きくなるｎ個からなる複数の閾値を有し、Ｌ１−（Ｌ２＋Ｌ３）が前記複数の閾値により区切られる一の区間に属する場合に、前記区間を区切る閾値が小さい程、ＲＦ増幅器の利得が最大利得から減衰し始めるＲＦ入力レベルが小さくなる様に、利得制御器から出力される制御信号を変化させることを特徴とする請求項１記載の受信装置。
【請求項３】
デジタル放送波の有無を検出するためのチャンネル検出器を有し、前記チャンネル検出器を用いて、全チャンネルからデジタル放送チャンネルの検出を行い、検出されたデジタル放送チャンネルの登録を行う際、隣接チャンネル妨害が存在することを示す隣接チャンネル妨害有信号も登録し、隣接チャンネル妨害有信号が登録されたデジタル放送チャンネルを選局する場合には、隣接チャンネル妨害有信号が登録されていないデジタル放送チャンネルよりも、ＲＦ増幅器の利得が最大利得から減衰し始めるＲＦ入力レベルを小さくするように、前記利得制御器から出力される制御信号を変化させることを特徴とする請求項１又は２記載の受信装置。
【請求項４】
全チャンネルからデジタル放送チャンネルの検出を行い、検出されたデジタル放送チャンネルの登録を一定周期ごとに行うことを特徴とする請求項３記載の受信装置。
【発明の詳細な説明】
【０００１】
【発明の属する技術分野】
本発明はテレビジョン放送、ラジオ放送のデジタル放送の受信装置に関するものである。
【０００２】
【従来の技術】
以下に、従来の放送受信装置における隣接チャンネル妨害が存在する場合の受信方法について説明する。従来のアナログ放送の受信装置では、例えば特願平０３−３４１９０２に示すように、受信希望チャンネル以外に新たに隣接チャンネル妨害信号の有無を検出するための検波回路を設け、隣接チャンネル妨害が存在する場合には、隣接チャンネル妨害の信号のレベルに応じてＲＦ増幅器の利得を制御する電圧を変化させて、隣接チャンネル妨害からの影響を排除して受信希望チャンネルの受信性能を改善したり、例えば特願平０４−３１６２８６に示すように隣接チャンネル妨害信号を抜き取るための隣接チャンネル同調回路と、この同調回路の出力信号を整流，平滑して直流に変換する整流平滑回路と、この整流平滑回路の出力信号が所定値以上のときにスイッチング用の半導体がオンして高周波増幅回路に印加されるＡＧＣ電圧を分圧して減圧可変し，高周波増幅回路の利得を低減することにより、隣接チャンネル妨害からの影響を排除して受信希望チャンネルの受信性能を改善していた。
【０００３】
【発明が解決しようとする課題】
しかしながら前記の従来のアナログ放送の受信装置において、隣接チャンネル妨害が存在する場合には隣接チャンネル妨害を検出するために、新たに検波回路や同調回路を設ける必要があり受信機のコストアップの要因となるという問題点を有していた。
【０００４】
またアナログ放送とデジタル放送を混在して放送する場合においてはデジタル放送がアナログ放送に妨害を与えることを防ぐために、放送局から出力されるデジタル放送チャンネルの出力パワーをアナログ放送チャンネルの出力パワーよりも小さくしているため、デジタル放送波の隣接チャンネルにアナログ放送チャンネルが存在すると、非常にレベルの大きな隣接チャンネル妨害となり、デジタル放送チャンネルの受信性能を劣化させるという問題点を有していた。
【０００５】
本発明は上記従来の問題点を解決するもので、余分な回路を付加することなく、隣接チャンネル妨害存在時の受信性能を上げることができる受信装置を提供することを目的とする。
【０００６】
【課題を解決するための手段】
（１）第１の発明
第１の発明に係る受信装置は、ＲＦ入力から入力されたＲＦ信号を増幅する利得制御可能なＲＦ増幅器と、前記ＲＦ増幅器の出力を中間周波信号に周波数変換する混合器と、前記混合器の出力を増幅する利得制御可能な中間周波増幅器と、前記中間周波増幅器の出力の中で中間周波信号以外の信号を減衰するフィルタと、前記フィルタの出力をアナログデジタル変換するＡＤ変換器と、前記ＡＤ変換器の出力から信号レベルを検出するレベル検出器と、前記レベル検出器の出力に基づいて前記ＲＦ増幅器と前記中間周波増幅器の利得を制御する利得制御器と、前記ＡＤ変換器の出力を復調する復調器と、デジタル放送波受信時にのみ前記復調器の出力の同期信号を検出可能な同期検出器と、前記同期検出器により受信希望チャンネルがデジタル放送チャンネルであると確認された場合にのみ受信希望チャンネルを選局して前記レベル検出器で検出した信号レベルＬ１及び受信希望チャンネルの下側隣接チャンネルを選局して前記レベル検出器で検出した信号レベルＬ２及び受信希望チャンネルの上側隣接チャンネルを選局して前記レベル検出器で検出した信号レベルＬ３についてＬ１−（Ｌ２＋Ｌ３）を算出しこの値と閾値Ｘとの大きさを判別する隣接チャンネル判別器を備え、前記隣接チャンネル判別器の出力がＬ１−（Ｌ２＋Ｌ３）が閾値Ｘより小さいことを示す場合にはＬ１−（Ｌ２＋Ｌ３）が閾値Ｘ以上の場合に比べ前記ＲＦ増幅器の利得が最大利得から減衰し始めるＲＦ入力レベルを小さくする様に前記利得制御器から前記ＲＦ増幅器に対し出力される制御信号を変化させることを特徴としたものであり、余分な回路を付加することなく、ＲＦ増幅器、中間周波増幅器を制御するために必要なレベル検出において隣接チャンネル妨害存在の有無を判別でき、隣接チャンネル妨害存在時の受信性能を上げることができる。
（２）第２の発明
第２の発明に係る受信装置は、第１の発明に係る受信装置において、Ｘ１からＸｎまでの順次大きくなるｎ個からなる複数の閾値を有し、Ｌ１−（Ｌ２＋Ｌ３）が前記複数の閾値により区切られる一の区間に属する場合に、前記区間を区切る閾値が小さい程、ＲＦ増幅器の利得が最大利得から減衰し始めるＲＦ入力レベルが小さくなる様に、利得制御器から出力される制御信号を変化させることを特徴としたものであり、余分な回路を付加することなく、ＲＦ増幅器、中間周波増幅器を制御するために必要なレベル検出において隣接チャンネル妨害存在の有無を判別でき、隣接チャンネル妨害存在時の受信性能を上げることができる。
（３）第３の発明
第３の発明に係る受信装置は、第１の発明または第２の発明に係る受信装置において、デジタル放送波の有無を検出するためのチャンネル検出器を有し、前記チャンネル検出器を用いて、全チャンネルからデジタル放送チャンネルの検出を行い、検出されたデジタル放送チャンネルの登録を行う際、前記（Ｌ１−（ｌ２＋ｌ３））が閾値Ｘより小さくなるデジタル放送波のチャンネルには隣接チャンネル妨害が存在することを示す隣接チャンネル妨害有信号も登録し、隣接チャンネル妨害有信号が登録されたデジタル放送チャンネルを選局する場合には、隣接チャンネル妨害有信号が登録されていないデジタル放送チャンネルよりも、ＲＦ増幅器の利得が最大利得から減衰し始めるＲＦ入力レベルを小さくするように、前記利得制御器から出力される制御信号を変化させることを特徴としたものであり、余分な回路を付加することなく、尚且つ受信希望チャンネル選局時において、隣接チャンネル妨害検出を行うことなく、デジタル放送チャンネル検索時に隣接チャンネル妨害存在の有無を判別することにより、隣接チャンネル妨害存在時の受信性能を上げることができる。
（４）第４の発明
第４の発明に係る受信装置は、第３の発明に係る受信装置において、全チャンネルからデジタル放送チャンネルの検出を行い、検出されたデジタル放送チャンネルの登録を一定周期ごとに行うことを特徴としたものであり、余分な回路を付加することなく、尚且つ受信希望チャンネル選局時において、隣接チャンネル妨害検出を行うことなく、デジタル放送チャンネル検索時に隣接チャンネル妨害存在の有無を判別することにより、隣接チャンネル妨害存在時の受信性能を上げることができ、またアナログ放送からデジタル放送移行期のチャンネル変更があった場合でも、隣接チャンネル妨害存在時の受信性能を上げることができる。
【０００７】
【発明の実施の形態】
以下、本発明による受信装置について図面を参照しながら説明する。
【０００８】
（実施の形態１）
図１は本発明の実施の形態１における受信装置の構成を示すブロック図である。１はＲＦ入力、２はＲＦ増幅器、３は混合器、４は局部発振器、５は中間周波増幅器、６はフィルタ、７はＡＤ変換器、８はレベル検出器、９は利得制御器、１０は復調器、１１は同期検出器、１２は隣接チャンネル判別器あり、ＲＦ入力１から入力されたＲＦ信号は利得制御可能なＲＦ増幅器２で増幅され、混合器３でＲＦ信号から中間周波信号に周波数変換され、利得制御可能な中間周波増幅器４で中間周波信号を増幅し、フィルタ６で選局したチャンネルの信号のみを通過させ、ＡＤ変換器７でアナログ信号からデジタル信号に変換され、ＡＤ変換後のデジタル信号からレベル検出器８で選局したチャンネルの信号レベルを検出し、同期検出１１では復調器１０で復調された信号に含まれる同期信号を検出することで選局したチャンネルがデジタル放送チャンネルかアナログ放送チャンネルかの判別を行い、以下に詳細に説明する隣接チャンネル判別器の判別結果と前記レベル検出器の検出結果に応じて、利得制御器９においてＲＦ増幅器２と中間周波増幅器５の利得を制御する利得制御信号を発生する。
【０００９】
以下に詳細な隣接チャンネル妨害性能を向上されるための動作について説明する。まず受信希望チャンネルを選局し、受信希望チャンネルが中間周波信号に変換され、フィルタ６で受信希望チャンネルのみが抜き取られるように局部発信器４の発振周波数を変化させ、レベル検出器８で受信希望チャンネルの信号レベルＬ１を検出し、信号レベルＬ１の値を隣接チャンネル判別器１２に保持する。
【００１０】
次に受信希望チャンネルの下側隣接チャンネルを選局し、下側隣接チャンネルが中間周波信号に変換され、フィルタ６で下側隣接チャンネルのみが抜き取られるように局部発信器４の発振周波数を変化させ、レベル検出器８で下側隣接チャンネルの信号レベルＬ２を検出し、信号レベルＬ２の値を隣接チャンネル判別器１２に保持する。
【００１１】
次に受信希望チャンネルの上側隣接チャンネルを選局し、上側隣接チャンネルが中間周波信号に変換され、フィルタ６で上側隣接チャンネルのみが抜き取られるように局部発信器４の発振周波数を変化させ、レベル検出器８で上側隣接チャンネルの信号レベルＬ３を検出し、信号レベルＬ３の値を隣接チャンネル判別器１２に保持する。
【００１２】
図２は本発明の実施の形態１におけるＲＦ入力レベルに対するＲＦ増幅器２の利得の変化と中間周波増幅器５の利得の変化を示す模式図である。前述のように受信希望チャンネルの信号レベルＬ１、下側隣接チャンネルの信号レベルＬ２、上側隣接チャンネルの信号レベルＬ３を検出すると、隣接チャンネル判別器においてＬ１−（Ｌ２＋Ｌ３）を算出しこの値と閾値Ｘとの大きさを判別する。隣接チャンネル判別器の出力がＬ１−（Ｌ２＋Ｌ３）が閾値Ｘより小さいことを示す場合には隣接チャンネルが存在すると判別して、図２に示すようにＲＦ増幅器２が最大利得ポイントから減衰し始める入力レベルＮ１を、隣接チャンネルが存在しないと判断したＬ１−（Ｌ２＋Ｌ３）が閾値Ｘ以上の場合に比べＲＦ増幅器２の利得が最大利得から減衰し始めるＲＦ入力レベルＮ２よりも小さくする様に前記利得制御器から前記ＲＦ増幅器に対し出力される制御信号を変化させる。これにより、混合器３に入力される信号レベルを小さくし、混合器３で発生する混変調妨害の影響を少なくすることが可能となる。一方、隣接チャンネル妨害を防ぐために常にＲＦ増幅器２が最大利得ポイントから減衰し始める入力レベルをＮ１の値のように小さくした場合には、ＲＦ増幅器後の信号にノイズが付加されることになり、受信信号に反射波が付加されたゴースト妨害やＲＦ入力信号レベルの小さい弱電界受信などの受信性能が劣化する。このため前述のように隣接チャンネルの有無に応じて、ＲＦ増幅器２と中間周波増幅器５の動作ポイントと切り換えることにより、様々な受信状態における受信性能を上げることが可能となる。
【００１３】
例えば、本発明を実施せずに、隣接チャンネル妨害が存在するときに、Ｎ２＝−７０ｄＢｍでＲＦ増幅器２が最大利得ポイントから減衰し始める設定にした場合と比較して、本発明を実施し、Ｎ１＝−７５ｄＢｍでＲＦ増幅器２が最大利得ポイントから減衰し始める設定にした場合は、隣接チャンネル妨害性能が５ｄＢ改善することが確認されている。
【００１４】
（実施の形態２）
本発明の実施の形態２の受信装置は図１に示す構成と同じで、隣接チャンネル判別器の動作が異なる。図３を用いて詳細な動作について説明する。図３は本発明の実施の形態２におけるＲＦ入力レベルに対するＲＦ増幅器２の利得の変化と中間周波増幅器５の利得の変化を示す模式図である。隣接チャンネルの有無の検出に加え、隣接チャンネルが存在する場合において、その大きさを４段階に分けて検出を行う場合について説明する。閾値Ｘ１、Ｘ２、Ｘ３及びＸ４の大きさをＸ１＜Ｘ２＜Ｘ３＜Ｘ４とする。また入力レベルＮ３、Ｎ４、Ｎ５及びＮ６の大きさをＮ３＜Ｎ４＜Ｎ５＜Ｎ６とする。受信希望チャンネルの信号レベルＬ１、下側隣接チャンネルの信号レベルＬ２、上側隣接チャンネルの信号レベルＬ３を検出すると、隣接チャンネルの信号レベルが最も大きい場合（図３では隣接チャンネル（大）ありの場合）、つまりＬ１−（Ｌ２＋Ｌ３）＜Ｘ１となるときはＲＦ増幅器２が最大利得ポイントから減衰し始める入力レベルをＮ３とし、隣接チャンネルの信号レベルが次に大きい場合（図３では隣接チャンネル（中）ありの場合）、つまりＸ１≦Ｌ１−（Ｌ２＋Ｌ３）＜Ｘ２となるときはＲＦ増幅器２が最大利得ポイントから減衰し始める入力レベルをＮ４とし、隣接チャンネルの信号レベルが次に大きい場合（図３では隣接チャンネル（小）ありの場合）、つまりＸ２≦Ｌ１−（Ｌ２＋Ｌ３）＜Ｘ３となるときはＲＦ増幅器２が最大利得ポイントから減衰し始める入力レベルをＮ５とし、隣接チャンネルの信号レベルが０の場合（図３では隣接チャンネルなしの場合）、つまりＸ３≦Ｌ１−（Ｌ２＋Ｌ３）＜Ｘ４となるときはＲＦ増幅器２が最大利得ポイントから減衰し始める入力レベルをＮ６とする。
【００１５】
これにより、隣接チャンネルとゴースト妨害が組み合わさって存在する場合に、混合器３に入力される信号レベルをできるだけ小さくし、尚且つＲＦ増幅器２後の信号に付加されるノイズをできるだけ小さくすることができ、さらに様々な受信状態における受信性能を上げることが可能となる。
【００１６】
尚、上記説明においては閾値が４段階（Ｘ１、Ｘ２、Ｘ３及びＸ４）の場合について説明したが、ｎを正整数とするときｎ段階の場合に適用できることは言うまでもない。即ち、Ｘ１からＸｎまでの順次大きくなるｎ個からなる複数の閾値を有し、Ｌ１−（Ｌ２＋Ｌ３）が前記複数の閾値により区切られる一の区間に属する場合に、前記区間を区切る閾値が小さい程、ＲＦ増幅器の利得が最大利得から減衰し始めるＲＦ入力レベルが小さくなる様に、利得制御器から出力される制御信号を変化させる。
【００１７】
（実施の形態３）
図４は本発明の実施の形態３における受信装置の構成を示すブロック図である。隣接チャンネル有無の判別及び隣接チャンネル存在時の動作原理は実施の形態１と同じであるため、ここでは実施の形態１と異なる点について詳細に説明する。実施の形態３では、全チャンネルの中でどのチャンネルが存在するかどうかを確認するチャンネル検出機能を設けている。このチャンネル検出時にデジタル放送チャンネルかアナログ放送チャンネルかを検出し、隣接チャンネルが存在するかどうかを検出する。
【００１８】
具体的には、全チャンネル検出において全チャンネル選局器１６でＡチャンネルを選局し、同期検出器１１において同期が検出された場合は、全チャンネル情報記録器１５にＡチャンネルがデジタル放送チャンネルであることを記録し、レベル検出器８においてＡチャンネルの信号レベルを検出し、全チャンネル情報記録器１５にＡチャンネルの信号レベルを記録する。次にＡチャンネルの上側チャンネルであるＢチャンネルを選局し、同様にＢチャンネルがアナログ放送チャンネルかデジタル放送チャンネルかを記録し、Ｂチャンネルの信号レベルを記録する。これを全チャンネルで行い、各チャンネルのデジタル放送チャンネル、アナログ放送チャンネル、信号レベルの情報を記録する。全チャンネル情報記録器１５に記録したチャンネル情報をもとに、受信希望チャンネルを選局すると、受信希望チャンネルがデジタル放送チャンネルの時には、実施の形態１、２と同じ動作を行う。実施の形態１、２においては受信希望チャンネルのほかに受信希望チャンネルの下側隣接チャンネル、上側隣接チャンネルの３チャンネルを選局するため、１チャンネルを選局する場合に比べて選局時間が３倍かかることになる。デジタル放送受信の同期検出では、受信状態が厳しい場合や放送されている放送方式によって同期検出に要する時間が１秒以上になる場合もあり、実施の形態１、２ではチャンネル選局に３秒以上の時間を要してしまうことになる。実施の形態３では、全チャンネル検出時に全チャンネル情報を記録することにより、受信希望チャンネル選局において、受信希望チャンネルの下側隣接チャンネル、上側隣接チャンネルの選局を行う必要がなく、選局に要する時間を短くできる利点をもつ。
【００１９】
（実施の形態４）
図５は本発明の実施の形態４における受信装置の構成を示すブロック図である。実施の形態３において全チャンネル検出を定期的に行うタイマー機能がついているだけで、その他の構成、動作については実施の形態３と同じである。アナログ放送からデジタル放送の移行期やテレビの受信する場所が変わったときなどに対応して、常に全チャンネルの最新情報を検出することにより、新たに受信希望チャンネルの下側隣接チャンネルや上側隣接チャンネルで放送が開始されても、実施の形態１、２のような隣接チャンネル妨害に対しての受信性能を上げることが可能となる。
【００２０】
【発明の効果】
以上のように、本発明の受信装置によれば、隣接チャンネル妨害信号の有無を検出するための新たな検波回路や同調回路を設けることなく、隣接チャンネル妨害に対する受信性能を向上することができるという優れた効果を有する。
【００２１】
また、隣接チャンネル妨害とゴースト妨害が混在した受信状況でも受信性能を向上することができるという優れた効果を有する。
【００２２】
さらに、全チャンネル検出時に、デジタル放送チャンネルや隣接チャンネルの情報を記録することにより、受信性能の向上と選局時間の短縮を行うことができるという優れた効果を有する。
【００２３】
また、全チャンネル検出を定期的に行うことにより、アナログ放送からデジタル放送移行期に考えられるチャンネルの変更などにも対応することができるという優れた効果を有する。
【図面の簡単な説明】
【図１】本発明の実施の形態１における受信装置の構成を示すブロック図
【図２】本発明の実施の形態１におけるＲＦ入力レベルに対するＲＦ増幅器２の利得の変化と中間周波増幅器５の利得の変化を示す模式図
【図３】本発明の実施の形態２におけるＲＦ入力レベルに対するＲＦ増幅器２の利得の変化を示す模式図
【図４】本発明の実施の形態３における受信装置の構成を示すブロック図
【図５】本発明の実施の形態４における受信装置の構成を示すブロック図
【符号の説明】
１　ＲＦ入力
２　ＲＦ増幅器
３　混合器
４　局部発振器
５　中間周波増幅器
６　フィルタ
７　ＡＤ変換器
８　レベル検出器
９　利得制御器
１０　復調器
１１　同期検出器
１２　隣接チャンネル判別器
１３　中間周波制御信号
１４　ＲＦ制御信号
１５　全チャンネル情報記録器
１６　全チャンネル選局器
１７　タイマー
【図１】
2004064382.tif 000003
【図２】
2004064382.tif 000004
【図３】
2004064382.tif 000005
【図４】
2004064382.tif 000006
【図５】
2004064382.tif 000007